(57)【特許請求の範囲】
【請求項１】
ある場所において観測された精度の高い１年間に及ぶ各日の、太陽の日の出そして所定の各時刻と日の入りまでの太陽の水平面上を東西南北360度でとった方位角度の観測記録を基にして、縦軸に１月から12月までの１年間を360日数でとり、横軸に先述の太陽の方位角度をとってそれによって前記縦軸と横軸で表す図中で、ある場所での１年間の太陽の日の出から所定の各時刻と日の入りまでの日時を変えて変移する太陽の方位角度の図表点を連続線とすることによって、前記図中に１年の始まりである１月１日から１２月３１日までの１年間の日の出から始まり所定の各時刻と日の入りまで連続した図表線として、太陽の１年間の日の出時の日の出曲線、太陽の日の出後の同時刻の年間の所定の各時刻曲線、太陽の年間の日の入り時の日の入り曲線として曲線図を構成する事を特徴とする携帯式方位時計図。
【請求項２】
１年間を表す前記縦軸の３６０日数を１２等分しそれぞれを１月から１２月までとして連続して表記し、前記横軸は東西南北を３６０度とする表記法で得た太陽の方位角度をそれが年間で最大の太陽の方位角度差となる夏至の日の日の出から日の入りまでのある場所での最大方位角度を表示範囲とし一つの図として表示することを特徴とする前記図が、携帯に便利なように小さくするに当たり各前記時刻曲線の判読の便宜のために、太陽の方位角度を示す前記横軸を、方位角度６６度から８０度までと８０度から１００度までと１００度から１２０度までと２４０度から２６０度までと２６０度から２８０度までと２８０度から３００度までと３００度から３０６度までを、１２０度から２４０度までの各２０度毎よりも適宜広く取って各前記時刻曲線を明瞭に表示されるよう配置することを特徴とする請求項１記載の携帯式方位時計図。
【請求項３】
携帯用の方位磁石や腕時計等と同時に携帯の用に供し易いように方位磁石や腕時計のガラス面や他の面に、大きさや形状を合わせる事を特徴とする図からなることを特徴とする請求項1、2に記載の携帯式方位時計図。
【請求項４】
耐水性の紙又はプラスチック又はビニールなどを材質とし、透明もしくは不透明の材質に前記図を構成し、その前記図を透明の接着剤を用いて前記方位磁石や腕時計のガラス面の表面や他の面に貼り付けられるように加工されたことを特徴とする請求項3に記載の携帯式方位時計図。
【発明の詳細な説明】
【０００１】
【産業上の利用分野】
本発明は、方位を測定するものとして一般に頒布された携帯方位磁石との併用によって、機械式の腕時計や日時計による時刻の測定に代わる、携帯式方位時計図によって時刻等を測定する方法の発明に関する。
【０００２】
【従来の技術】
従来の時刻を測定するものとしての時計は、大きく別けて機械式か、自然法則を利用した太陽の動きによる日時計等に別けられる。機械式の時計は故障を伴うしやがて壊れるが、日時計は故障が少ないしその使用は半永久的である。
しかし、定地点に設置して使用する従来の日時計は、携帯には不向きである。時刻を知るために通常の時計のような精巧な機械式の道具以外に、自然である太陽との関係における地球の動きを元にしての日時計で簡易に携帯しかつ移動しながら使用するような日時計は、無かった。
【０００３】
【発明が解決しようとしている課題】
自然法則を利用した、本来故障とは無縁で半永久的装置である従来の日時計は、太陽が見た目で変化する位置によってその時刻を知ろうとする方法である。そのためには、太陽の光線との関係において日時計をその場所の方位と緯度によってそれに叶う方法で正確に固定し設定した相互の関係の成立が必要で有った。
すなわち、従来の日時計とはもともと据え置き式のもので、それを移動しながら使用するには不向きである。
地球の地磁気と太陽の見た目の変化の関係という自然の諸力を利用して、日時計のように故障とは無縁でかつ移動に適した半永久的な時計を作れないだろうか。
【０００４】
太陽が空に輝き光を放つ限り太陽は、地球上の特定の場所で特定の時刻に特定の方位に在る訳で、日時計はそこに形成される相互の関係から消極的に日照時のみその時刻を知るというのが従来の日時計である。
【０００５】
それに対して、移動が可能であるばかりでなくかつ太陽の日の出日の入りの方位の予測、そしてその時刻の予測など時計としての利用以外にも、野外での自由な場所での積極的な使用のできるより多機能な日時計は作れないだろうか。
【０００６】
移動式又は携帯式であるためには、より小さくより使用の容易なものである必要がある。この目的を達成するためには、携帯の方法及び時刻の表示の方法などを使用者の立場で工夫する必要があった。
【０００７】
時刻を太陽の動きから知るという課題は、太陽の方位と月日と時刻との関係においてその年間の繰り返しに不変性があれば、それを明らかにする手段があるはずである。
そして半永久的な方位磁石の力を利用して故障の無い携帯に便利で移動しながらの使用を前提として、太陽の出没から太陽の各方位の時刻を測定する手段は可能なはずである。
【０００８】
太陽の方位の変化を月日と時刻との関係の中で図式化すれば、月日と方位が判れば残る一つの時刻が読み取れる時計となるものが作れる筈である。
【０００９】
またそれは携帯に便利であるだけでなく、時計としての適度の精度のものである必要がある。
【課題を解決するための手段】
【００１０】
当発明である図を携帯できるものとするために、一般に頒布された携帯式の方位磁石と同程度の大きさの図にし、なをかつそれでいて使用が有功な解読度の図にした。
【００１１】
本図を既成の方位磁石等にも容易に貼り付けて使用できるように、片方の面に接着剤を付けた。
【００１２】
限られた面積の中での情報伝達手段の中で、より多くの情報を表示しようとする時、情報の判別理解のためにはそれなりの工夫が必要である。それで、情報の密度の高い部分の表示を判別し易いように図の一部を部分拡大または部分縮小した。
【００１３】
本発明の時計としての精度は、日時計と同程度の精度の範囲である。
ここで言う精度とは、制作した図の精度のことである。
【００１４】
図１は、観測地点が東経１３５度２９．６分、北緯３４度４１．３分における日本標準時刻を元にした太陽の日の出から日の入り迄の方位と月日と時刻における一年間の相互の関係を表示したグラフ図である。
そして、本発明の実際の使用を目的とした方位磁石と同じ程度の大きさの、ここで言う携帯式サイズのものである。
【００１５】
図２は、図１を説明のために拡大したものである。以下は図２によってその手段について述べる。
北側すなわち図の下側から始まる北から南に到る縦軸は、一月一日から始まって南側の十二月三十日で終る一年間の月日を表わす。
図２の中央に縦に下から一、二、三、四、五、六、七、八、九、十、十一、十二、とあるのは一月から十二月までを示す。
また各月を３０日として表示したので、各月の１５日は、その真ん中である。
【００１６】
また横軸である方位角度は、磁石上の北を０度とし、東を９０度、南を１８０度、西を２７０度とした表記法による方位角度を表わし、この観測地での夏至の日の日の出の方位角度から日の入りまでである。
その方位角度は、東の６６度から始まって、西の３０６度迄である。
【００１７】
太陽の方位と月日と時刻の関係のグラフ図として、日の出から始まって日の入りまでの方位と、午前五時から午後七時までの各時刻毎の太陽の方位が縦軸の月日と横軸の方位角度の中にそれぞれ太陽の日の出入り曲線及び各時刻曲線として示されるように記されている。
【００１８】
図２の横軸である方位角度については、図２の左側である東の夏至の頃の六六度で始まって一〇〇度迄と同じく西側の二六一度から始まって三〇六度まではそのグラフの各間隔を最も広く配置している。
従って方位角度の配置は東の一〇一度から一二〇度までと二四一度から二六〇度迄がその次に広く、一二一度から二四〇度迄が最も狭く表示されている。
【００１９】
一月から十二月までの縦軸に添うようにして並ぶ縦の曲線は、図２の左である東側から、日の出そして午前の５時、６時、７時、８時、９時、１０時、１１時、１２時、そして午後の１時、２時、３時、４時、５時、６時、７時さらに日の入り時に太陽が位置する一年３６０日の各日の方位上の配置曲線である。
グラフの中央横向きに左から５、６、７、８、９、１０、１１、１２、１、２、３、４、５、６、とあるのは、左から午前５時から夕方の午後６時迄のことを差し示す。
従って、日の出曲線の次の東側に位置する短い曲線が午前５時の時刻曲線で、時刻曲線の右側にその数字を配置した。
午後７時の時刻曲線は日の入りの曲線の一つ手前の短い曲線であるが、図の関係から７時の表記である数字の、７、の表記を省略した。
ただし、これらの日の出入り曲線及び時刻線は、方位磁石の方位と一致させるために偏角を６度として方位磁石の南を１８０度としている。
【００２０】
日ノ出以前の太陽の位置と日の入り後の太陽の位置は、図上のそれぞれ東と西のそれぞれ外側の部分である方位にして６５度迄と３０７度以降である。
【００２１】
東の初めの曲線は日の出曲線であり、また西の終わりの曲線も日の入り曲線である。それは月日別の太陽の日の出入りの方位角度を示す。
それは、時刻線ではない。しかしそれはまた、時刻をも差し示す。
【００２２】
太陽の方位を各時刻で配置した時刻線は、午前５時から午後７時までの１５本である。
従って各時刻線の中間は、各時刻の１分から５９分を表わしその中央は各３０分を表わす。
【００２３】
一月から十二月までの各月一日の日の出と日没と、午前５時から午後７時までの時刻の太陽の位置の配置の根拠である数値を、表１に示した。
【００２４】
【表１】
0003608193.tif 000002
【００２５】
表１の構成は縦軸が月日を横軸が方位角度を表わし、各月の一日の各時刻の太陽の方位と、日の出日の入りの太陽の方位とその時刻が記されている。
例えば、六月一日の日の出は方位角度６８度時刻は４時４７分であり、午前５時の太陽の方位は７０度である。
【００２６】
これまでに述べた太陽の日の出日の入りは、地平線における太陽の位置での方位を表わし１度未満を四捨五入し、また時刻は１分未満を四捨五入している。
【００２７】
また図１と図２そして表１は、大阪市立科学館発行の「こよみハンドブック」日の出入り南中と太陽の方位表を元にして作成した。
【００２８】
【作用】
太陽の日の出日の入りの境界線である東西のそれぞれの外側の線は、時刻線と異なることは説明したが、その境界線はまた日の出日の入りの時刻をも表わしている。
例えば、６月１日の日の出は図２から磁石上の東の６６度よりも２度ほど西に進んだ６８度くらいである事が判る。それは８０度から１００度までのグラフの間隔が２０度である事から、およそそうである事が判る。
そして更に２度ばかり進んだ７０度辺りには、午前５時の時刻線がある。この事から６月１日の日の出が午前５時前である事は明らかである。
では午前５時から太陽の方位にして２度以前が、時間にすれば何分になるかという事が明らかになればよい。
直後の午前５時から６時までに太陽の方位がどの程度変化したかを６月１日の場合で見てみると、その変化が約８度である事が判る。すなわちそれは、１度の太陽の方位の変化にはほぼ７分３０秒を要している事が判る。
この図から見る限り、６時以降も同様の推移なので５時以前も同様とみなして２度の変化を１５分と計算すると、６月１日の日の出は、４時４５分となる。
そして表１では６月１日の日の出は４時４７分であるので、その誤差は２分である。
【００２９】
では次に５月１日の日の出に付いて見てみると、日の出曲線が５時と６時の時刻線と交差している図２を見ると、午前５時の時刻線と日の出曲線との交点がおよそ７４度である事が読み取れる。日の出曲線は５月１日には７７度辺りに有りそして三月中旬の午前６時の時刻線と日の出曲線との交点が９７度から９８度の辺りである事が判る。
日の出曲線の上を、午前５時と同６時の時刻線がおよそ７４度から９８度まで移動している。
これは日の出曲線の９８度から７４度までの１時間の移動の２４度の変化の内、５月１日においては日の出曲線が午前５時の７７度迄６時に向かって太陽の方位にしておよそ３度進んだ事を意味している。
１時間に２４度の方位の変化の内、およそ３度進んでいるという事は、１時間の八分の一時間進んだことがわかる。
その事から６月１日の日の出時刻は、およそ５時８分頃であることになる。
表１との誤差は、０分である。
このように日の出入り曲線は、その時刻を示す作用がある。
【００３０】
各時刻線は各時刻を示すだけでなく、その間の時刻をも示す。
例えば、七月一日の西の八〇度に太陽が位置する時の時刻に付いて見てみる。図２から見て判るように、それは午前６時と７時のほぼ中間である。従って七月一日の西八〇度の方位に太陽がある時刻は、午前６時３０分頃となる。
表１で確かめると、午前６時は太陽の方位は７６度でありまた７時は８４度であるから、８０度は丁度午前６時と７時の中間の６時３０分であり、表との時刻の誤差は０分である。
【００３１】
また太陽の移動の様子は、方位と時刻線が季節毎にどのように変化しているかが見て取れる。
例えば、太陽の方位は夏の日の日の出と冬の日の日の出には、６０度もの差がある事が視覚的に判る。また夏の日は、冬の日よりも時間単位の太陽の方位の変化すなわち移動が早い事が視覚的にわかる。
【００３２】
当図と方位磁石とで、観測日の月日を読み取る事が出来る。
これは、日時計には無い作用である。
例えば、日の出の方位が１００度であるとする。日ノ出の方位が１００度であるのは三月の初旬頃と十月の初め頃である。
その時の日の入りの方位が２７３度の近くである場合は、十月の初め頃であるとする事ができる。
またその時の日の入りが２６７度辺りである場合は、三月の初旬頃であると判断する事ができる。
【００３３】
それに加えて時計が有り、方位が１００度で時刻が午前６時だとする。
同様に当図からそれに該当するのは、十月初めである。
仮に十月一日だとすると、日の入りは何時となるだろうか。日の入りの方位は２７３度辺りであるので先に示した方法で計算すると、その時刻は５時４０分頃である筈である。
そして時計で確認すると、よりそれが確かになる。
【００３４】
また、当図によって太陽の任意の時刻の方位を予測できる。
日時計は太陽が昇ると同時に日が差さないと時刻を読む事が出来ないが、当図は太陽が雲間に隠れていたとしても太陽の方位を予測できる。
例えば元日の日の出の光景を写真に取りたい方角にカメラを向ける時、その方位に前もってレンズを向ける事が出来る。その方位は、ほぼ東に１２４度である。
【００３５】
またこの図によって、年間を通した見かけの太陽の方位上の動きを把握できるので学習効果がある。
夏と冬とでは、日の出入り方位の差はほぼ６０度にも達しそれらが月毎に変化していく様子が視覚的に見える。
【００３６】
横軸である方位の配置を等間隔でなく、作成されるグラフの実態すなわちグラフが混み入ってその判別が困難な場合、それをより明瞭にするためにグラフの配分を変化させる事によりより明瞭なグラフとなった。
図２程度の大きさにした場合は、グラフの作成にそうした工夫は必ずしも必要でなかった。
図１程度ののサイズにすると、午前の１０時頃までと午後の２時以降の時刻線が接近し過ぎて時刻線の判別が難しくなるからである。
【００３７】
作成された図を腕時計の文字盤サイズあるいは方位磁石の文字盤サイズにまで小さくする事ができかつ判読が可能になり、携帯がより便利にる。
発明物の使用において携帯に便利であると言うのは、小さく軽いと言う事だけでなく使用する目的においてそこで利用物同士が一体化していることである。
本発明は腕時計の文字盤あるいは方向磁石の文字盤の上、またはそれらの任意の場所に貼りつけるように加工しておく事で、当発明を時計や磁石と一体不可分のものとさしてより利用効果のあるものとする事ができる。
それにより従来の時計や方位磁石は、当発明と共に使用する事で時計としての新しい作用、効果を産む。
【００３８】
【実施例】
当発明によって時刻を任意の場所で日本標準時において知りたい場合、必要なのは観測日の確定とその時の太陽の方位である。つまりその時が何月何日であるか、そして太陽が磁石上の方位でどちらの方角で何度にあるのかという情報である。
つまり、月日、方位、時刻の内、どれか二つが明らかであれば、残りの一つが明らかになる。
図２は偏角を６度として磁石上の角度に方位を修正した事は既に述べた。従って真の南はその時磁石の１８６度の方向である。
その日が七月一日であり、その時太陽の方位は磁石上の北を０度として東を９０度南に１８０度としての１００度の位置にあるとする。
それは磁石上の東から南に１０度の位置である。
さてその測定の方法は、次の通りである。
まず磁石の南針を方位の南、すなわち１８０度と一致させる。
方位磁石は、水平にしてそのままの状態を維持する。
慣れれば立ったまま片手に方位磁石を持っても良い。
できるだけまっすぐで細い棒、例えば食後に使用する楊枝のようなものを別の片手に用意する。
その細い棒を方位磁石の太陽の側にできるだけ垂直に立て、そして影が直線となるようにする。
その際、方位磁石の外縁には方位角度が記入されているので、注意深く棒の先端が角度のメモリに垂直に触れると同時に棒の太陽光線による影が方位磁石の真ん中を横切るように棒を配置する。
方位磁石の水平面に垂直に立ったまっすぐな棒が作る影は、太陽が影として形作る直線の方向の方位にあることになる。
垂直に立てた棒の先端が示す方位角度は、既に当図と同様の遍角を修正し同様に角度を配置して置かれているので、細い棒の先端が方位角度の目盛りに触れるその方位角度を読み取ればよい。
その時、影が方位磁石の反対側の、この場合だと２８０度の上を通過している事を確認して読み取るのもよい。
【００３９】
方位を測定するために工夫された磁石もあるので、それを使用する方がより正確ではあるが、慣れればシャープペンシルなどを使用して上記の方法で測定しても良い。
シャープペンシルは太い影を方向磁石の上に落とすことになるが、その中心を方位目盛りで読み取るのは難しくはない。何故なら影の幅が１センチメートルあったとしても、その影の中心が上の例だと２８０度にあり両側の影が２８０度の５ミリずつ外側に在れば良い。
屋外で当携帯式方位時計を使用して時刻をより正確に知りたい場合は、定点で精度の高い測定を求めるよりは、観測位置を複数移動してすばやく時刻を求めその平均で時刻を求める方が良いであろう。
それは、磁石は見えない磁力の障害で観測地での測定が、正確に地球の磁力線に呼応しているとは必ずしも言えない場合があるからである。
また、移動し測定し時刻を求めている間に数分間が過ぎ去ることもあるからである。
【００４０】
図１は大阪府のおよそ東経１３５度北緯３５度での観測データによるものであるが、この図あるいは観測者が測定する太陽の方位の精度、あるいはこの図の制作上の精度等を考慮したとしても、その方位または時刻を一分一秒での精度を追求するものではない。
また観測地点の緯度経度がそれぞれ一度程度の誤差を生じても、それはここでの観測、測定、時刻の確定のプロセスで発明の実用上の許容の範囲としている。すなわち携帯式の磁石は天の真の東西南北から偏角としての誤差を有するものであるし、また観測地点での地質、建物、地下の配管などによってその測定地での誤差を含むものであるからである。
【００４１】
七月一日とは、グラフの縦軸の下である北の側から数えて七番目の、第一日目である。ここでは各月を３０日としてしているので、その位置は七月の枠の３０分の１を北から南に図の上へと進んだ所である。
【００４２】
図２の中で七月一日の方位１００度に東から数えて日の出の曲線を除いて第五番目の曲線がある事が判る。これは日の出の次の曲線である午前五時から第五番目の時刻線であるから、午前９時００の時刻線である。
月日と太陽の方位が判れば、図２によって時刻を読み取れば良い。
【００４３】
方位磁石と図２とで、七月一日の東１００度に太陽が位置するのであれば、観測の結果その時刻は午前９時頃である事が判る。
仮に太陽の方位が同じでも観測日が五月一日なら、時刻は午前８時頃である事が判る。同様に十月一日であれば、時刻は午前６時頃でそれはまた日の出の頃でもある事が判る。
【００４４】
【発明の効果】
当携帯式方位時計図を使用することで、電池などの動力を使用する腕時計などに対し、電池の消耗や部品の故障等が無いので、当携帯式方位時計図の時計としての効果または方位図としての効果などは、半永久的である。
【００４５】
当携帯式方位時計図は、太陽の方位によって時刻を知るだけでなく時刻が判っていれば日の出迄の時間を知る事が出来る。また前もって日の入りの時刻を知る事も出来る。
およそ時計はその時刻を知らせる事しかしないのに対し、当図は年間の太陽の月日毎の時刻における太陽の方位を全体として知らせてくれる。
【００４６】
また、日の出日の入りの方位を前もって知る事が出来る。
例えば、特定の月日の日の出の方位を知りたい時、それを知る事が可能である。
写真を取りたい場合、日の出の前に日の出の方角にレンズを向けタイミングを合わせる事も可能であるし、山間部で早朝の日の出を受ける位置を選んでテントを張る事も可能である。
また山間部で見た古墳の入り口の方位を測った時、それが日の出の方向ばかりでなく谷間からの朝日の差す方向に向いている事を発見する事が出来たりするのは、得難い発明の効果である。
こうした働きは、従来の日時計または時計からは得られ無いものである。
【００４７】
さらに月日が不明であり日の出の時刻が６時２０分頃であれぱ、図１の午前６時２０分頃の太陽の位置を求めると三月の十日頃とは別に十一月の一日頃にも同時刻の日の出のある事が判る。またその日の日没が午後６時頃であればそれは三月十日頃であるし、日没が午後５時頃であれば十一月一日頃である事が判る。
このように方位時計は、時計と併用すると事でおよその月日を教えてくれる。当図は、小さい面積の中に一年間の太陽と方位と時刻の情報をもたらす効果がある。
これらの効果は、小さな携帯式方位時計図を使用する前提の場合はより使用上の解読精度は低くなるものではあるが、より拡大した当方位時計図と精密な方位磁石とその測定がより精密であれば、より時刻測定の精度が高くなる事は言うまでも無い。
【００４８】
方位磁石が無くても、当図と時計があれば真の東西南北を求める事ができる。例えば、三月一日昼の１２時００分に太陽が位置するのは、磁石上の１８２度である。しかしこのグラフでは偏角の６度を磁石上の方位として修正しているので、真南は磁石上の１８６度の方角である。従って磁石を持ち合せていなくても当携帯式方位時計から三月一日の１２時００分に太陽が位置する方角より４度西側が、そこでの真南である事が判る。
一月一日の場合は、昼の１２時００分頃にちょうど磁石上の１８６度に太陽が来るので、その方位がほぼ真南となる。
このように当方位時計図は、時計と併用する事で磁石が正常に働かない場所においてもほぼ正確な方位を知る事が出来る。
当発明の、方位計としての効果である。
【００４９】
図２においては横軸である方位角度のグラフ上の配置が、６６度から１００度迄とまた２６１度から３０６度迄と、１０１度から１２０度までとまた２４１度から２６０度迄と、１２１度より西に２４０度迄とはグラフの間隔がそれぞれ図のような間隔でグラフを構成し、そして太陽の時刻毎の時刻線を表示した。
それにより、日の出から午前十時までと午後一時以降日の入りまでの時刻線が、グラフの表示の一部分での拡大又は縮小の効果の結果、より明瞭に判別できる携帯式での使用により効果的なものになった。
【００５０】
当携帯式方位時計図は、ほぼ北緯３４度４１分東経１３５度３０分での観測を元として作成したものである。そして他地域での観測データによって同様に地域別の当携帯式方位時計図を同様に作成する事ができる。
地域別のデータから地域別の携帯式方位時計図を同様に作成し、同様に使用すれば世界の広い場所で同様の効果を得る事が出来る。
【００５１】
従来の日時計は基本的に据え置き式のものであるが、本発明は携帯式としての移動が可能である。では、当図ではどの程度までが移動が可能でどの程度の範囲までが使用効果があると言えるのだろうか。
【００５２】
仮に当図で、東経１３５度３０分北緯３４度４１分から北に一度または南に一度移動した場合、あるいは東に一度西に一度移動してそれを使用する場合、その作成した方位時計の誤差は東経１３５度３０分、北緯３４度４１分であるその観測地点とはどの程度の誤差を生じるだろうか。
【００５３】
仮に、当発明である図２を使用して東経１３５度３０分北緯３４度４１分からそれぞれ南と北に一度ずつ移動して使用したとする。そこでは、南中時刻については変化はないし方位上の変化も理論上では、最大で０．３度程度である。
例えば移動による誤差が最大になる夏至の日の太陽の日の出日の入りの方位は、使用場所を図２の観測場所よりも北に一度移動した場合は、それぞれ６６度から６５度へそして３０６度から３０７度へと０．３度程度誤差を生じるに過ぎない。
【００５４】
また東西にそれぞれ一度移動した場合は、南中時刻がそれぞれ東の場合はほぼ４分早くなり西に移動した場合は４分遅くなる。
【００５５】
また、図２の使用誤差許容範囲を時間にして５分以内とすると、緯度の一度の誤差は４分であるので直線距離にして西と東に移動距離はおよそそれぞれ１００キロメートルである。
【００５６】
さらに測定の誤差を方位角度にして１度迄を使用誤差許容範囲とすると、図１の使用誤差許容範囲地域の南北への移動距離は、それぞれおよそ３００キロメートル迄である。
【図面の簡単な説明】
【図１】当発明の、携帯式方位時計図としての実用的サイズである。
【図２】図１の、説明のための拡大図である。
【符号の説明】
１  ▲１▼、▲２▼、▲３▼、▲４▼、▲５▼、▲６▼、▲７▼、▲８▼、▲９▼、▲１０▼、▲１１▼、▲１２▼は、午前もしくは午後の時刻を表わす。
２  一、二、三、四、五、六、七、八、九、十、十一、十二は、月を表わす。
３  六六、八〇、一〇〇、一二〇、一四〇、一六〇、一八〇、二〇〇、二二〇、二四〇、二六〇、二八〇、三〇〇、三〇六は、方位角度を表わす。
４  東、西、南、北、は、磁石上の東西南北を表わす。
５  １３５度は、経度の東経１３５度を表わす。
６  ３５度は、緯度の北緯３５度を表わす。
【図１】
0003608193.tif 000003
【図２】
0003608193.tif 000004